(57)【特許請求の範囲】
【請求項１】
中通し竿の竿体先端に配置され内部を釣糸が通過するトップガイドであって、
前記竿体先端の外周に嵌合固定され前記竿体と異なる材質の装着筒部と、
前記装着筒部の穂先側に配置され前記装着筒部にねじ結合された着脱筒部とを備え、
前記装着筒部は金属製であり、
前記着脱筒部は、前記装着筒部の穂先側に配置され前記装着筒部にねじ結合された弾性を有する合成樹脂製の第１筒部と、前記第１筒部の穂先側に配置され前記第１筒部にねじ結合された金属製の第２筒部とを有する、中通し竿のトップガイド。
【請求項２】
前記装着筒部と第１筒部とのねじ結合部分と、前記第１筒部と第２筒部とのねじ結合部分とは竿体の軸方向で重畳して配置されている、請求項１に記載の中通し竿のトップガイド。
【請求項３】
前記着脱筒部の内面に設けられ前記釣糸を案内する釣糸ガイド部をさらに備える、請求項１又は２に記載の中通し竿のトップガイド。
【請求項４】
前記釣糸ガイド部は、前記第１筒部の先端に装着された環状の第１釣糸案内部と、前記第２筒部の先端に装着された環状の第２釣糸案内部とを有している、請求項３に記載の中通し竿のトップガイド。
【請求項５】
前記第１釣糸案内部の内径は前記第２釣糸案内部の内径より小さい、請求項４に記載の中通し竿のトップガイド。
【請求項６】
前記第１釣糸案内部の内径は前記竿体の内径より小さい、請求項４又は５に記載の中通し竿のトップガイド。
【請求項７】
前記各釣糸案内部は硬質セラミック製のリング部材からなる、請求項４から６のいずれかに記載の中通し竿のトップガイド。
【請求項８】
内部に釣糸が通過可能な中通し竿であって、釣糸が通過する釣糸通路を内部に有する竿体と、前記竿体の先端に配置された請求項１から７のいずれかに記載のトップガイドと、を備えた中通し竿。
【発明の詳細な説明】
【０００１】
【発明の属する技術分野】
本発明は、内部に釣糸が通過可能な中通し竿と、このような中通し竿の先端に配置されるトップガイドに関する。
【０００２】
【従来の技術】
中通し竿においては、釣糸の繰り出し及び巻き取りの際に、竿体の内部に設けられた釣糸通路を釣糸が通過する。釣糸は竿体の先端から外部に延びている。このような中通し竿では、竿体の先端で釣糸の方向が変わるので、竿体先端の角部で釣糸が擦られて切れたり弱くなったりしやすい。
【０００３】
そこで、竿体先端に釣糸を保護するためのトップガイドが設けられる。トップガイドには、金属などからなる管体の内面に摩擦係数の小さなセラミックスなどからなる保護リングが装着されている。この保護リングにより釣糸が滑らかに案内され、釣糸が切れたり弱くなるのを防止することができる。
この種のトップガイドでは、内部を釣糸が通過する際に釣糸との接触により釣糸に付着した水分や塵等の異物が内部に溜まりやすい。このことに考慮したトップガイドの具体的技術が、特開平８−１３２号公報に示されている。この技術では、トップガイドが２つの筒体から構成され、うち１つが竿体先端にねじ結合により着脱自在に装着されている。このように構成されたトップガイドでは、筒体を外して内部を清掃することで内部に溜まった異物を簡単に除去できる。
【０００４】
【発明が解決しようとする課題】
前記従来のトップガイドでは、トップガイドの一部の筒体を外して内部を清掃することで異物を除去しているので、清掃の都度、筒体を回して着脱を行わなければならない。この着脱作業を行うと、ねじ結合のねじ部分の緩みが生じやすい。このような緩みが生じると、緩んだ筒体に釣糸の張力が作用したときその筒体が損傷したり外れたりするおそれがある。
【０００５】
本発明の課題は、中通し竿の着脱式のトップガイドにおいて、ねじ結合部分を緩みにくくすることにある。
【０００６】
【課題を解決するための手段】
発明１に係る中通し竿のトップガイドは、中通し竿の竿体先端に配置され内部を釣糸が通過するトップガイドであって、前記竿体先端の外周に嵌合固定され前記竿体と異なる材質の装着筒部と、前記装着筒部の穂先側に配置され前記装着筒部にねじ結合された着脱筒部とを備え、前記装着筒部は金属製であり、前記着脱筒部は、前記装着筒部の穂先側に配置され前記装着筒部にねじ結合された弾性を有する合成樹脂製の第１筒部と、前記第１筒部の穂先側に配置され前記第１筒部にねじ結合された金属製の第２筒部とを有する。
【０００７】
このトップガイドでは、釣糸が内部を通過すると接触により内部に異物がたまる。この場合には、着脱筒部をたとえば反時計回りに回して装着筒部から外し、これらの２つの筒部の内部を清掃して異物を除去する。清掃が終わると着脱筒部を時計回りに回して装着筒部に装着する。ここで、装着筒部と着脱筒部のねじ結合部分は一方が硬い金属製であり他方が弾性を有する合成樹脂製であるので、装着時に合成樹脂製のねじ結合部分が弾性により撓んでねじ結合部分が緩みにくくなる。
【０００８】
さらに、発明１に係る中通し竿のトップガイドは、装着筒部は金属製であり、着脱筒部は、装着筒部の穂先側に配置され装着筒部にねじ結合された合成樹脂製の第１筒部と、第１筒部の穂先側に配置され第１筒部にねじ結合された金属製の第２筒部としているので、清掃しやすく、また、清掃しやすくするために着脱筒部を２分割構造にしても、着脱筒部と装着筒部とのねじ結合部分に加えて、着脱筒部の第１筒部と第２筒部とのねじ結合部分も、金属と合成樹脂とのねじ結合となるので緩みにくくなる。
【００１０】
発明２に係る中通し竿のトップガイドは、発明１に記載のガイドにおいて、装着筒部と第１筒部とのねじ結合部分と、第１筒部と第２筒部とのねじ結合部分とは竿体の軸方向で重畳して配置されている。この場合には、２つのネジ結合部分が軸方向で重畳しているので、装着筒部と第１筒部及び第１筒部と第２筒部とをねじ結合しても全体の強度を高く維持することができる。
【００１１】
発明３に係る中通し竿のトップガイドは、発明１又は２に記載のガイドにおいて、着脱筒部の内面に設けられ釣糸を案内する釣糸ガイド部をさらに備える。この場合には、着脱筒部の内面に釣糸ガイド部を設けられているので、釣糸の保護を良好に行える。発明４に係る中通し竿のトップガイドは、発明３に記載のガイドにおいて、釣糸案内部は、第１筒部の先端に装着された環状の第１釣糸案内部と、第２筒部の先端に装着された環状の第２釣糸案内部とを有している。この場合には、第１筒部と第２筒部との双方に釣糸案内部が設けられているので、釣糸の保護をより良好に行える。
【００１２】
発明５に係る中通し竿のトップガイドは、発明４に記載のガイドにおいて、第１釣糸案内部の内径は第２釣糸案内部の内径より小さい。この場合には、第１釣糸案内部の内径が小さいので、異物が第１釣糸案内部の前後により溜まりやすくなり、異物の除去を確実に行える。発明６に係る中通し竿のトップガイドは、発明４又は５に記載のガイドにおいて、第１釣糸案内部の内径は竿体の内径より小さい。この場合には、第１釣糸案内部の内径が竿体の内径より小さいので、竿体の先端部で釣糸が竿体に接触しにくくなり、釣糸の保護をより良好に行える。
【００１３】
発明７に係る中通し竿のトップガイドは、発明４から６のいずれかに記載のガイドにおいて、各釣糸案内部は硬質セラミック製のリング部材からなっている。この場合には、表面が滑らかで摩擦係数が小さく耐久性に優れた硬質セラミック製のリング部材からなる釣糸案内部により釣糸が案内されるので、釣糸の保護をより良好に行えるとともに、釣糸案内部が損傷しにくくなり、トップガイドの耐久性も向上する。
【００１４】
発明８に係る中通し竿は、内部に釣糸が通過可能な竿であって、釣糸が通過する釣糸通路を内部に有する竿体と、竿体の先端に配置された請求項１から７のいずれかに記載のトップガイドとを備えている。この中通し竿では、釣糸がトップガイドの内部を通過すると接触により内部に異物がたまる。この場合には、発明１と同様に着脱筒部をたとえば反時計回りに回して装着筒部から外し、これらの２つの筒部の内部を清掃して異物を除去する。清掃が終わると着脱筒部を時計回りに回して装着筒部に装着する。ここで、装着筒部と着脱筒部のねじ結合部分は一方が硬い金属製であり他方が弾性を有する合成樹脂製であるので、装着時に合成樹脂製のねじ結合部分が弾性により撓んでねじ結合部分が緩みにくくなる。釣糸が釣糸通路とトップガイドとを通過したときに内部に異物が溜まっても着脱筒部を外して両筒部を清掃することで異物を簡単に除去できる。
【００１５】
【発明の実施の形態】
図１に示す本発明の一実施形態による中通し竿１０は、中通し竿１０を操作するためのグリップ部１２と、グリップ部１２の穂先側に連結された竿体１４と、竿体１４の先端に配置された筒状のトップガイド４０とを備えている。グリップ部１２の穂先側には、釣糸３０を巻回するリール２０が装着されている。竿体１４は筒状をなし内部に釣糸通路１５（図２）を有するとともに、竿元側に釣糸３０を内部に導入するための糸導入口１６を有する。竿体１４は、ガラス繊維、炭素繊維等の高強度繊維基材に樹脂を含浸させたプリプレグを先細り棒状のマンドレルに巻回し焼成して得られる先細り筒状の部材である。リール２０から引き出された釣糸３０は、糸導入口１６から竿体１４の内部に入り、トップガイド４０から外部に引き出される。
【００１６】
図２に示すように、トップガイド４０は、竿体１４の先端の外周に嵌合固定される装着筒部４１と、装着筒部４１の穂先側に配置され装着筒部４１に着脱自在に装着された着脱筒部３９とを有している。着脱筒部３９は、装着筒部４１の穂先側に配置された第１筒部４２と、第１筒部４２の穂先側に配置された第２筒部４３とを有している。着脱筒部３９と装着筒部４１の外周面は滑らかに連続しており後端部（竿元側）にいくに従い小径となっている。
【００１７】
装着筒部４１は、たとえばステンレスやチタン合金等の耐食金属製の筒状部材であり、その先端部（穂先側）外周面には、竿体１４の外形に沿って第１雄ねじ部４１ａが形成されている。また、第１雄ねじ部４１ａから後端部にかけて外周面には、大径の末細りテーパ面４１ｂが形成されている。装着筒部４１は、接着などの適宜の固着手段により竿体１４に固定されている。しかし、着脱する必要があれば、竿体１４に対して着脱自在に嵌合されるようになっていてもよい。
【００１８】
第１筒部４２は、たとえばガラス繊維を混入した６６ナイロン等の弾性を有する合成樹脂製の筒状部材であり、装着筒部４１に着脱自在に装着されている。第１筒部４２の後端部内周面には第１雄ねじ部４１ａに螺合する第１雌ねじ部４２ａが形成されている。また、先端部は第１雌ねじ部４２ａより小径となっており、そこには、穂先側に突出した第１嵌入段部４２ｂが形成されている。また、第１雌ねじ部４２ａと第１嵌入段部４２ｂとの間には先細りのテーパ部４２ｃが形成されている。第１筒部４２の後端部外周面には第１筒部４２を回しやすくするためのローレット状溝部４２ｄが形成されており、先端部には第２雄ねじ部４２ｅが形成されている。この第２雄ねじ部４２ｅは、第１雌ねじ部４２ａに釣り竿の軸方向で重畳するように形成されている。
【００１９】
第２筒部４３は、たとえばステンレスやチタン合金等の耐食金属製の筒状部材であり、第１筒部４２に着脱自在に装着され内径が第１筒部４２より大きい。なお、ここでいう第１筒部４２及び第２筒部４３の内径とは、後述する第１釣糸案内部４５及び第２釣糸案内部４６の内径Ｄ1 及びＤ2 のことである。第２筒部４３の後端部内周面には第２雄ねじ部４２ｅに螺合する第２雌ねじ部４３ａが形成されている。また、先端部外周面は急激に先拡がりになっており、その先端部には第２嵌入段部４３ｂが形成されている。第２嵌入段部４３ｂの内径は第１嵌入段部４２ｂより大きい。第２雌ねじ部４３ａと第２嵌入段部４３ｂとの間において第１筒部４２より穂先側には、釣糸３０に付着した異物等を外部に排出するための４つの異物排出孔４３ｃが周方向に間隔を隔てて形成されている。異物排出孔４３ｃは、第２筒部４３の内外周を貫通して形成されている。
【００２０】
第１筒部４２の先端から内面側の第１嵌入段部４２ｂにかけて、後側の第１釣糸案内部４５が嵌め込まれている。第１釣糸案内部４５は、サーメットセラミックの成形体からなるリング部材である。第１釣糸案内部４５は、第１筒部４２の先端を覆っている。第１釣糸案内部４５の断面形状は、中心側に向けて滑らかに突出した湾曲形状をなしている。第１釣糸案内部４５の内径Ｄ1 は、竿体１４の内径ｄ0 よりも小さくなっている。
【００２１】
第２筒部４３の第２嵌入段部４３ｂには、前側の第２釣糸案内部４６が嵌め込まれている。第２釣糸案内部４６も第１釣糸案内部４５と同様の材料からなっている。第２釣糸案内部４６の断面形状も、中心側に向けて滑らかに突出した湾曲形状をなしている。第２釣糸案内部４６は第２筒部４３の先端を覆い、その先端外周が第２筒部４３の外周に一致している。第２釣糸案内部４６の内径Ｄ2 は、竿体１４の内径ｄ0 よりも大きくなっている。
【００２２】
このようなトップガイド４０を有する中通し竿１０では、リール２０からの釣糸３０は、内部の釣糸通路１５及びトップガイド４０の内部を通過してトップガイド４０の先端から導出される。そして、釣糸３０の繰り出し時や巻き取り時には、釣糸３０は釣糸通路１５や第１及び第２釣糸案内部４５，４６に接触する。ここで、第１釣糸案内部４５が最も小径であるので、釣糸３０に頻繁に接触しやすい。このため、糸繰り出し時には釣糸３０に付着した異物が第１釣糸案内部４５により扱かれて第１釣糸案内部４５の後側のテーパ部４２ｃに溜まりやすく、糸巻き取り時には釣糸３０に付着した異物が第１釣糸案内部４５の前側の第２筒部４３内に溜まりやすい。
【００２３】
このようにして第１釣糸案内部４５の前後に異物が溜まった場合には、図３に示すように、第１筒部４２及び第２筒部４３をそれぞれ取り外せばそれらの内部や竿体１４の先端部を簡単に掃除することができ、異物を容易に除去できる。しかも、第２筒部４３には異物を排出するための異物排出孔４３ｃが周面に設けられているので、異物が第２筒部４３内に溜まりにくい。
【００２４】
また、上記実施例では、２つの筒部４２，４３が着脱自在であるので、とくに、製造時や補修時に第１嵌入段部４２ｂに対して第１釣糸案内部４５を簡単に装着できる。
さらに、装着筒部４１及び第２筒部４３が金属製であり、その間の第１筒部４２が弾性を有する合成樹脂製であるので、互いにねじ結合しても金属と弾性を有する合成樹脂との結合により合成樹脂側のねじが弾性により撓みねじの緩みが少なくなる。
【００２５】
また、装着筒部４１と第１筒部４２との締結部及び第２筒部と第２筒部との締結部が軸方向で重畳しているので、トップガイド４０全体の強度が強くなる。
〔他の実施形態〕
（ａ）図４に示すように、金属製又は合成樹脂製の装着筒部４１に合成樹脂製又は金属製の１つの筒体で構成された着脱筒部３９をねじ結合により着脱自在に装着するようにしてもよい。
【００２６】
このトップガイド４０ａでは、装着筒部４１は、竿体１４の外周面に先端が突出するように固着されている。装着筒部４１の中間部外周面には雄ねじ部４１ａが形成されている。また、着脱筒部３９の後端部内周面には雄ねじ部４１ａに螺合する雌ねじ部３９ａが形成されており、外周面において装着筒部４１の先端部を臨む位置には異物排出孔３９ｂが形成されている。
【００２７】
第２釣糸案内部４６は着脱筒部３９の先端に装着されているが、第１釣糸案内部４５は、着脱筒部３９ではなく装着筒部４１の先端に装着されている。さらに竿体１４の内周面の釣糸通路１５に螺旋状に突出した釣糸案内凸部１５ａが形成されている。
このような構成のトップガイド４０ａでも、着脱筒部３９と装着筒部４１とが合成樹脂と金属という異なる材質が使用されているので、ねじ結合部分が緩みにくくなる。
【００２８】
（ｂ）中通し竿１０の構造は、図示した実施例のほか、通常の中通し竿と同様の構造を適宜に組み合わせて構成することができる。リール２０やグリップ部１２、糸導入口１６などの構造も、通常の中通し竿と同様の構造が採用できる。
（ｃ）トップガイド４０の装着筒部４１、第１筒部４２及び第２筒部４３の材料は、前記実施例に限定されるものではなく、装着筒部４１及び第２筒部４３を合成樹脂製にし、第１筒部４２を金属製にしてもよい。また、合成樹脂及び金属の材質も前記実施形態に限定されず、種々の金属や合成樹脂を使用できる。
【００２９】
（ｄ）第１及び第２釣糸案内部４５、４６の材料は、前述したサーメットセラミックのように、摩擦係数が小さく耐久性に優れた材料が好ましい。サーメットセラミック以外のセラミックや金属、合成樹脂も使用できる。また、各釣糸案内部４５，４６をそれぞれの筒部４２，４３又は４１，３９に一体で形成してもよい。
【００３０】
【発明の効果】
本発明に係るトップガイド及び中通し竿では、装着筒部と着脱筒部のねじ結合部分は一方が硬い金属製であり他方が弾性を有する合成樹脂製であるので、装着時に合成樹脂製のねじ結合部分が弾性により撓んでねじ結合部分が緩みにくくなる。
【図面の簡単な説明】
【図１】本発明の一実施形態による中通し竿全体の側面図。
【図２】トップガイドの拡大断面側面図。
【図３】その分解時の拡大断面図。
【図４】他の実施形態の図２に相当する図。
【符号の説明】
１０  中通し竿
１４  竿体
１５  釣糸通路
３９  着脱筒部
４０，４０ａ  トップガイド
４１  装着筒部
４１ａ  第１雄ねじ部
４２  第１筒部
４２ａ  第１雌ねじ部
４２ｅ  第２雄ねじ部
４３  第２筒部
４３ａ  第２雌ねじ部
４５  第１釣糸案内部
４６  第２釣糸案内部
【図１】
0003877097.tif 000002
【図２】
0003877097.tif 000003
【図３】
0003877097.tif 000004
【図４】
0003877097.tif 000005